(57)【要約】【課題】  本発明は、チューブポンプにおける弾性チューブの脱着操作の容易化や異常事態での手動操作の簡便化を目的とする。【解決手段】  本発明に成るチューブポンプは、駆動電動機と、固定ハウジングと、該固定ハウジングと離接自在に設けられる可動ハウジングと、該可動ハウジングの円弧状内周面に沿って転動して弾性チューブを押圧し扱く複数のローラを有するロータ部と共に、前記可動ハウジングが、リンク機構で連結されて前記ロータ部を覆うように両ハウジング上面と離接自在に保持され小窓を有するカバーと、固定ハウジング周縁近傍に、当該カバーと小窓の開閉検知スイッチと、カバーと小窓の閉じ状態を保持するロック機構を有し、弾性チューブ挿通部が、互いに任意の向きに形成され輸液流路の配置を自在とするように構成されている。【選択図】        図１０
2006304918.tif 000002
【特許請求の範囲】
【請求項１】
駆動電動機と、該駆動電動機に連結保持されロータ部の転動が可能な内周面を備える固定ハウジングと、該固定ハウジングと離接自在に設けられ、円弧状内周面を備える可動ハウジングと、前記駆動電動機の駆動軸に連係し転回自在で、前記可動ハウジングの円弧状内周面に沿って転動する複数のローラを有するロータ部と、を備え、可動ハウジングの円弧状内周面に沿うように案内され挿通される弾性チューブ内の液体を、ローラの転動押圧によって移送するように構成されるチューブポンプにおいて、
前記可動ハウジングが、リンク機構で連結されて前記ロータ部を覆うように両ハウジング上面と離接自在に保持されるカバーを備えると共に、固定ハウジング周縁近傍に、当該カバーの開閉により作動するカバー開閉検知スイッチを備え、カバー閉じ状態でのみ駆動電動機での輸液動作が可能なように構成されていること、を特徴とするチューブポンプ。
【請求項２】
駆動電動機と、該駆動電動機に連結保持されロータ部の転動が可能な内周面を備える固定ハウジングと、該固定ハウジングと離接自在に設けられ、円弧状内周面を備える可動ハウジングと、前記駆動電動機の駆動軸に連係し転回自在で、前記可動ハウジングの円弧状内周面に沿って転動する複数のローラを有するロータ部と、を備え、可動ハウジングの円弧状内周面に沿うように案内され挿通される弾性チューブ内の液体を、ローラの転動押圧によって移送するもので、前記可動ハウジングが、リンク機構で連結されて前記ロータ部を覆うように両ハウジング上面と離接自在に保持されるカバーを備え、該カバーに、ロータ部を露出するに足る小窓が設けられると共に、固定ハウジングの前記小窓の窓枠に対向する部位に、小窓の開閉により作動する小窓開閉検知スイッチを備え、カバーと小窓双方の閉じ状態でのみ駆動電動機での輸液動作が可能で、カバーと小窓または小窓だけの開放により、駆動電動機での輸液動作を中断して、ロータ部の手動操作が可能なように構成されていること、を特徴とするチューブポンプ。
【請求項３】
小窓の開閉により作動する小窓開閉検知スイッチと共に、固定ハウジング周縁近傍に、当該カバーの開閉により作動するカバー開閉検知スイッチをも備え、小窓が解放されていても、カバーが閉じ状態である時に、駆動電動機での輸液動作が可能なように構成されていること、を特徴とする請求項２に記載のチューブポンプ。
【請求項４】
前記固定ハウジング周縁部位に、カバーの閉じ状態を保持するロック機構が設けられていること、を特徴とする請求項１乃至３のいずれかに記載のチューブポンプ。
【請求項５】
前記カバーは、一体保持されたレバーを備え、該レバーによる開閉操作を可能としていること、を特徴とする請求項１乃至４のいずれかに記載のチューブポンプ。
【請求項６】
前記ハウジングの側壁に形成されている対を成す弾性チューブ挿通部が、互いに異なる向きで穿設されていること、を特徴とする請求項１乃至５のいずれかに記載のチューブポンプ。
【発明の詳細な説明】
【技術分野】
【０００１】
本発明は、人工透析装置等に搭載されるチューブポンプに関する。
【背景技術】
【０００２】
【特許文献１】発明の名称；チューブポンプおよび血液ポンプ、並びに当該血液ポンプを用いた人工透析装置                              特開平６−２１８０４２号公報
【０００３】
人工透析装置等人体を対象とする機器の信頼性は、これが極めて厳しく求められることは言うまでもないことで、その信頼性を補完する手段として、取扱いの容易化の必然性が自明の点もよく知られている。
【０００４】
上述引用文献特開平６−２１８０４２号公報もその一例で、当該チューブポンプの取扱い性の容易化に係る提案であって、詳細は同公報に譲ることとするが、機器本体の複雑化の懸念を窺わせつつも、取扱い性の改良の実現を意図するものであることに違いは無い。
【発明の開示】
【発明が解決しようとする課題】
【０００５】
上述の如き従来の構成は、上述引用文献を含むいずれの周知技術も、当該チューブの着脱・機器のセットやリセット等に際し、取扱者の両手での作業を余儀なくされ取扱者の負担や迅速性の他、異常事態での手動操作の簡便化等への更なる改善が期待されているのが実態であった。
【課題を解決するための手段】
【０００６】
本発明に成るチューブポンプは、駆動電動機と、該駆動電動機に連結保持されロータ部の転動が可能な内周面を備える固定ハウジングと、該固定ハウジングと離接自在に設けられ前記固定ハウジングの円弧状内周面に連通する円弧状内周面を備える可動ハウジングと、前記駆動電動機の駆動軸に連係し転回自在で、前記可動ハウジングの円弧状内周面に沿って転動する複数のローラを有するロータ部と、を備え、可動ハウジングの円弧状内周面に沿うように案内され挿通される弾性チューブ内の液体を、ローラの転動押圧によって移送するもので、
【０００７】
前記可動ハウジングが、リンク機構で連結されて前記ロータ部を覆うように両ハウジング上面と離接自在に保持されるカバーを備えると共に、固定ハウジング周縁近傍に、当該カバーの開閉により作動するカバー開閉検知スイッチを備え、カバー閉じ状態でのみ駆動電動機での輸液動作が可能なように構成され、または、
【０００８】
前記可動ハウジングに併設されるカバーが、ロータ部を露出するに足る小窓を備えると共に、固定ハウジングの、前記小窓の窓枠に対向する部位に、小窓の開閉により作動する小窓開閉検知スイッチを備え、カバーと小窓双方の閉じ状態でのみ駆動電動機での輸液動作が可能で、小窓の開放により駆動電動機での輸液動作を中断して、ロータ部の手動操作が可能なように構成され、または、
【０００９】
小窓の開閉により作動する小窓開閉検知スイッチと共に、カバーの開閉により作動するカバー開閉検知スイッチをも備え、小窓が開放されていても、カバーが閉じ状態である時に、駆動電動機での輸液動作が可能なように構成され、また、
【００１０】
前記固定ハウジング周縁部位には、カバーの閉じ状態を保持するロック機構が設けられ、また、
【００１１】
前記カバーは、一体保持されたレバーを備え、該レバーによる開閉操作を可能とし、更にまた、
【００１２】
前記固定ハウジングの側壁に形成されている対を成す弾性チューブ挿通部が、互いに異なる向きで穿設され輸液流路の配置を自在とするように構成されている。
【発明の効果】
【００１３】
本発明に成るチューブポンプは、弾性チューブの脱着の容易化や人的操作の簡便化による装着状態の安定性・信頼性の向上の他、異常事態での手動による輸液操作の容易化を実現している。
【発明を実施するための最良の形態】
【００１４】
以下図面によって本発明の実施例を説明する。
【実施例１】
【００１５】
図１は本発明に成るチューブポンプで、第２の例として説明する小窓５の無いカバー４の構成を兼ねて示す、小窓５を備えた第１の例の上面図で、カバー４・小窓５共に開放の状態（ａ）、小窓５のみ開放の状態（ｂ）、カバー４・小窓５共に閉じの状態（ｃ）である。
【００１６】
図２は、図1に示す第1の例の正面図で、カバー４・小窓５共に開放の状態（ａ）、小窓５のみ開放の状態（ｂ）、カバー４・小窓５共に閉じの状態（ｃ）である。
【００１７】
また、図3は図1に示す第1の例の斜視図で、同じくカバー４・小窓５共に開放の状態（ａ）、小窓５のみ開放の状態（ｂ）、カバー４・小窓５共に閉じの状態（ｃ）である。
【００１８】
図１と図２を参照して、図３に見る通り、カバー４は、駆動電動機１０に連結保持されている固定ハウジング１と離接自在に配置される可動ハウジング２に、リンク機構６を介して開閉自在に形成されている。
【００１９】
本願発明に係るチューブポンプ本体の構成である、ハウジング１，２の円弧状内周面に弾性チューブ７が挿通され、該弾性チューブ７を駆動軸の回転により転動するローラ３−１で扱く動作・機能は、従来周知の技術であるので、省略する。
【００２０】
カバー４は、各図（ａ）に示す開放状態から、カバー４だけが閉じ小窓５が開放されている（ｂ）か、小窓５共々閉じる（ｃ）か可能となっている。
【００２１】
固定ハウジング１上面の小窓５の窓枠に対向する部位には、周知技術である開閉検知スイッチ８が設けられ、該例では、該開閉検知スイッチ８の作動で、カバー４と共に小窓５が閉じ状態の時だけ、駆動電動機１０が動作して通常の輸液動作が行われることになる。
【００２２】
小窓５形成の機能は、停電での輸液動作中断等の異常事態において、小窓５を開放し、ロータ部３に付設されたつまみ３−２を操作することで、手動での輸液動作の継続等を可能とするものである。
【００２３】
また、輸液動作が行われるカバー４・小窓５の閉じ状態を確実とするため、小窓５の窓枠とこれと対接する固定ハウジング１の上面には、互いに係合可能な周知技術であるロック機構９が設けられている。
【実施例２】
【００２４】
図示を省略している小窓５の無いカバー４の構成では、上述開閉検知スイッチ８は、カバー４の周縁近傍に配置されてもよく、カバー４が閉じ状態でのみ輸液動作が行われるように作動すればよい。
【００２５】
また、図１０として、カバー４・小窓５共に開放の状態（ａ）、小窓５のみ開放の状態（ｂ）、カバー４・小窓５共に閉じの状態（ｃ）の斜視図を示すが、上述カバー４に小窓５を備える構成において、小窓５の開閉により作動する小窓開閉検知スイッチ８と共に、カバー４の開閉により作動するカバー開閉検知スイッチ８’をも備え、小窓５が開放されていても、カバー４の閉じ状態を確認した時には、駆動電動機１０での輸液動作が可能なように構成することも有意である。
【実施例３】
【００２６】
図４、図５、図６は、上述図１、図２、図３に示す例に対応する、カバー４の開閉操作を容易とするレバー４−１を備える構成を示すもので、同じくカバー４・小窓５共に開放の状態（ａ）、小窓５のみ開放の状態（ｂ）、カバー４・小窓５共に閉じの状態（ｃ）を示し、夫々上面図、正面図、斜視図であって、上述第１の例と共通の構成は同一符号としており、基本的な動作・機能は同じであるので省略する。
【実施例４】
【００２７】
図７、図８、図９は、同じく上述図１、図２、図３に示す例に対応するもので、送液通路を形成する弾性チューブ７の両端口が、互いに異なる向きになるように構成される例である。
【００２８】
固定ハウジング１の側壁に穿設される弾性チューブ７の挿通部は、通常、１８０°離間し対向して形成され、当該チューブ７が直線状に配置される構成が汎用されているが、流路形成を自在とする手段として、双方を異なる向きとして形成するものである。
【００２９】
図示する該例での挿通部は、双方がほぼ９０°の角度として対称的に形成されているが、角度が任意であることはもちろん、カバー４の開閉の向きに対し左右非対称であることも自在である。
【産業上の利用可能性】
【００３０】
本発明に成るチューブポンプは、血液、透析液等を人体に送液する医療分野や、化学物資が混入された液体を送液する分析分野、醤油、食用抽等を送液する食品分野等に多く利用できる。
【図面の簡単な説明】
【００３１】
【図１】本願発明に成る第1の例の上面図で、カバー開・小窓開（ａ）、カバー閉・小窓開（ｂ）、カバー閉・小窓閉（ｃ）の様子を示す。
【図２】図１の例の正面図で、同じくカバー開・小窓開（ａ）、カバー閉・小窓開（ｂ）、カバー閉・小窓閉（ｃ）の様子を示す。
【図３】図１の例の斜視図で、同じくカバー開・小窓開（ａ）、カバー閉・小窓開（ｂ）、カバー閉・小窓閉（ｃ）の様子を示す。
【図４】本願発明に成る別の例の上面図で、同じくカバー開・小窓開（ａ）、カバー閉・小窓開（ｂ）、カバー閉・小窓閉（ｃ）の様子を示す。
【図５】図４の例の正面図で、同じくカバー開・小窓開（ａ）、カバー閉・小窓開（ｂ）、カバー閉・小窓閉（ｃ）の様子を示す。
【図６】図４の例の斜視図で、同じくカバー開・小窓開（ａ）、カバー閉・小窓開（ｂ）、カバー閉・小窓閉（ｃ）の様子を示す。
【図７】本願発明に成る更に別の例の上面図で、同じくカバー開・小窓開（ａ）、カバー閉・小窓開（ｂ）、カバー閉・小窓閉（ｃ）の様子を示す。
【図８】図７の例の正面図で、同じくカバー開・小窓開（ａ）、カバー閉・小窓開（ｂ）、カバー閉・小窓閉（ｃ）の様子を示す。
【図９】図７の例の斜視図で、同じくカバー開・小窓開（ａ）、カバー閉・小窓開（ｂ）、カバー閉・小窓閉（ｃ）の様子を示す。
【図１０】本願発明に成る別の例の斜視図で、同じくカバー開・小窓開（ａ）、カバー閉・小窓開（ｂ）、カバー閉・小窓閉（ｃ）の様子を示す。
【符号の説明】
【００３２】
１        固定ハウジング
２        可動ハウジング
３        ロータ部
３−１    ローラ
３−２    つまみ
４        カバー
４−１    レバー
５        小窓
６        リンク機構
７        弾性チューブ
８        小窓の開閉検知スイッチ
８’      カバーの開閉検知スイッチ
９        ロック機構
１０        駆動電動機
【図１】
2006304918.tif 000003
【図２】
2006304918.tif 000004
【図３】
2006304918.tif 000005
【図４】
2006304918.tif 000006
【図５】
2006304918.tif 000007
【図６】
2006304918.tif 000008
【図７】
2006304918.tif 000009
【図８】
2006304918.tif 000010
【図９】
2006304918.tif 000011
【図１０】
2006304918.tif 000012